(57)【要約】  【課題】スライドショーの表示方法の選択肢を増やし、より高い付加価値を得るようにして、商品価値を高める。  【解決手段】撮影した画像を再生するに際し、背景付でスライドショーを実行させると、再生画像３００と背景画像２００との合成画像がＬＣＤモニタ１７に表示される。その際、再生画像３００を縮小表示させれば、その周囲に背景画像２００が表示されるため、この背景画像２００によって再生画像３００を引き立たせることができる。【選択図】図８
2006303816.tif 000002
【特許請求の範囲】
【請求項１】
複数の画像を記録する記録媒体と、
上記複数の画像を自動連続再生する表示制御手段と、
上記自動連続再生される上記画像を表示する表示手段と
を備える画像再生装置において、
上記画像は第１の再生画像と該第１の再生画像の背景画像となる第２の再生画像とを有し、
上記表示制御手段は、上記第１の再生画像と上記第２の再生画像との合成画像を自動連続再生させて上記表示手段に表示させる
ことを特徴とする画像再生装置。
【請求項２】
上記表示制御手段は、上記自動連続再生する上記第１の再生画像のサイズを上記表示手段の表示領域よりも縮小させ、該第１の再生画像の周囲に上記第２の再生画像の表示領域を設ける
ことを特徴とする請求項１記載の画像再生装置。
【請求項３】
上記表示制御手段は、上記自動連続再生する上記第１の再生画像のサイズを上記表示手段の表示領域と同一に設定すると共に、該第１の再生画像を半透明画像として表示させる
ことを特徴とする請求項１記載の画像再生装置。
【請求項４】
上記表示制御手段は、上記自動連続再生する上記第１の再生画像のサイズを上記表示手段の表示領域よりも縮小させると共に、該第１の再生画像を半透明画像として表示させる
ことを特徴とする請求項１記載の画像再生装置。
【請求項５】
上記表示制御手段は、上記第２の再生画像を枠形状の修飾画像でマスクして、該第２の再生画像の表示領域を該枠形状内に設定する
ことを特徴とする請求項１，２，４の何れかに記載の画像再生装置。
【請求項６】
複数の画像を記録する記録媒体と上記複数の画像を自動連続再生する表示制御手段と上記自動連続再生される上記画像を表示する表示手段とを制御するコンピュータを備え、
上記コンピュータに、
上記表示制御手段に対し、上記記録媒体に記録されている上記画像を構成する第１の再生画像と該第１の再生画像の背景画像となる第２の再生画像とを読込んで、合成画像を生成させると共に、該合成画像を自動連続再生させて上記表示手段に表示させる制御信号を出力する機能が備えられている
ことを特徴とする画像再生プログラム。
【発明の詳細な説明】
【技術分野】
【０００１】
本発明は、第1の再生画像とその背景画像となる第２の再生画像とを合成して自動連続再生させる画像再生装置及び画像再生プログラムに関する。
【背景技術】
【０００２】
近年、デジタルカメラは、小型ＨＤＤやＤＶＤなどに代表される大容量の記録媒体を搭載し、ＪＰＥＧ方式、ＭＰＥＧ方式などに代表される画像圧縮技術の進歩により、高画質な大量のディジタル画像を記録することが可能であるばかりでなく、記録されている画像を再生する画像再生装置も兼用している。
【０００３】
デジタルカメラは、画像をデジタルデータで記憶しているため編集が容易で、撮影した画像を再生する場合であっても、様々な楽しみかたを提供することができる。スライドショーによる再生も、デジタルカメラの楽しみかたの１つとして捕らえることができる。
【０００４】
記録媒体に記録されている画像を、自動連続再生の一態様であるスライドショーを用いて表示する場合、再生画像を、自動或いはマニュアル操作により順次表示していく。スライドショーを用いると、記録媒体に記録されている画像データを、操作者が一々選択することなく、順に表示させることができるため使い勝手が良く、再生画像の確認が容易となる。
【０００５】
例えば特許文献１（特開２００４−３４３４７２号公報）では、スライドショーを用いて表示される画像を、一定時間毎に順次重ねて表示させる技術が開示されている。この文献によれば、スライドショーで表示サイズの異なる画像を表示する場合、例えば最初に表示される画像の表示サイズが大きく、次に表示される画像の表示サイズが小さい場合であっても、モニタ上には大きいサイズの画像が背景画像として表示されるため、小さい表示サイズの画像が表示されても、その周囲に余白部分が形成されず、スライドショーを用いて一体感のある画像を表示させることができる。
【特許文献１】特開２００４−３４３４７２号公報
【発明の開示】
【発明が解決しようとする課題】
【０００６】
しかし、上述した文献に開示されている技術では、画像の表示サイズが小さい場合、モニタの余白部分には、大きいサイズの画像が背景画像として表示されるが、再生画像を単に羅列しているに過ぎず、デジタルカメラが本来有する機能を充分に発揮させることができない。又、スライドショーであっても、再生画像の単なる羅列は、観察者に飽きを覚えさせてしまう。
【０００７】
スライドショーの表示方法ほ選択肢をもっと増やすことが可能で、新たな表示方法を選択肢として追加することで、看者に飽きをこさせることなく、高い付加価値を得ることが可能である。
【０００８】
尚、このことは、デジタルカメラに限らず、画像再生機能を有する装置全体に当てはまる。
【０００９】
本発明は、上記事情に鑑み、自動連続再生時における表示方法の選択肢を増やし、より高い付加価値を得ることのできる画像再生装置及び画像再生プログラムを提供することを目的とする。
【課題を解決するための手段】
【００１０】
上記目的を達成するため第１発明は、複数の画像を記録する記録媒体と、上記複数の画像を自動連続再生する表示制御手段と、上記自動連続再生される上記画像を表示する表示手段とを備える画像再生装置において、上記画像は第１の再生画像と該第１の再生画像の背景画像となる第２の再生画像とを有し、上記表示制御手段は、上記第１の再生画像と上記第２の再生画像との合成画像を自動連続再生させて上記表示手段に表示させることを特徴とする。
【００１１】
第２発明は、複数の画像を記録する記録媒体と上記複数の画像を自動連続再生する表示制御手段と上記自動連続再生される上記画像を表示する表示手段とを制御するコンピュータを備え、上記コンピュータに、上記表示制御手段に対し、上記記録媒体に記録されている上記画像を構成する第１の再生画像と該第１の再生画像の背景画像となる第２の再生画像とを読込んで、合成画像を生成させると共に、該合成画像を自動連続再生させて上記表示手段に表示させる制御信号を出力する機能が備えられていることを特徴とする。
【発明の効果】
【００１２】
本発明によれば、第１の再生画像を再生するに際し、この第１の再生画像と、その背景画像となる第２の再生画像を合成させた合成画像を自動連続再生させるようにしたので、自動連続再生時における表示方法の選択肢が増加し、より高い付加価値を得ることができる。
【発明を実施するための最良の形態】
【００１３】
以下、図面に基づいて本発明の一形態を説明する。図１はカメラ装置の概略構成を示すブロック図、図２はカメラ装置の外観構成を示し、（ａ）は正面斜視図、（ｂ）は背面斜視図である。尚、本形態では、画像再生装置の一例としてカメラ装置を示す。このカメラ装置は、動画と静止画の双方の撮影が可能であるものとする。
【００１４】
図２（ａ）に示すように、カメラ本体３１の正面に、被写体光を取り込む光学レンズ３２、静止画撮影時に操作するシャッタボタン３３、赤外線によるリモートコントロール信号（以下、「リモコン信号」と略称）を受光するリモートコントロール受光部（以下、「リモコン受光部」と略称）３４が設けられている。
【００１５】
又、図２（ｂ）に示すように、カメラ本体３１の背面に、動画撮影時のＯＮ／ＯＦＦ操作を行うプッシュプッシュ式の動画録画ボタン３９、後述する撮影時における各操作モード項目の選択と録画した画像の再生時の早送り／早戻し等に用いるジョグダイヤル４０、ＯＫ／方向ボタン４１、各操作モード項目を読み出すメニューボタン４２、動画と静止画の撮影モードと動画と静止画の再生モードを切り換えるモードレバー４３、ＳＤカード等の着脱自在な半導体記録媒体を収納するスロットル部の開口部を開閉するカードカバー４４、光学レンズ３２のズーム操作と電気的な撮影画像のズーム操作を行うズームレバー４５等が設けられている。
【００１６】
又、カメラ本体３１の側面に、モニタ部３７、このモニタ部３７にてＯＮ／ＯＦＦされる電源ボタン４６が設けられている。モニタ部３７は、カメラ本体３１の側面に回動自在に取り付けられ、非撮影時にはカメラ本体３１の側面に収納され、撮影時にはカメラ本体３１の側面から立ち上げて使用される。モニタ部３７を立ち上げると、このモニタ部３７は約３６０度方向に回動自在となり、操作者の見やすい位置にセットすることができる。
【００１７】
又、電源ボタン４６は、モニタ部３７がカメラ本体３１の側面に収納された際に、モニタ部３７にてスイッチＯＦＦされ、モニタ部３７が立ち上げられるとスイッチＯＮされる。尚、モニタ部３７には、撮影時に選択する操作モードやメニューを表示したり、撮影被写体像や撮影後の再生画像を表示する表示手段としての液晶パネル（以下、「ＬＣＤモニタ」と称する）１７と、撮影時に録音した音声を再生時に音声出力させるスピーカ３８とが組み込まれている。
【００１８】
ＯＫ／方向ボタン４１は、上下と左右方向の矢印、中央部にＯＫ文字が表記された円形状に形成されており、その周囲にジョグダイヤル４０が配設されている。ジョグダイヤル４０はリング状に形成されており、双方向に回転可能である。ジョグダイヤル４０とＯＫ／方向ボタン４１とは一連の操作の中で互いに関連する操作が行われる。すなわち、例えば、モニタ部３７のＬＣＤモニタ１７に表示される複数の操作モードやメニューは、ジョグダイヤル４０を操作することでスクロールさせて選択することができる。そして、１つの項目を選択した状態でＯＫ／方向ボタン４１を押すと、選択したモードが確定され、その後、対応する処理が行われる。
【００１９】
又、ＯＫ／方向ボタン４１の上下左右方向を示す矢印は、例えば撮影時に使用することができる。すなわち、撮影時にＯＫ／方向ボタン４１の上矢印側を押すとフォーカス調整が行われ、下矢印側を押すと撮影シーンが選択され、右矢印側を押すと露出補正が行われ、左矢印側を押下すとフラッシュモードが選択される。
【００２０】
同様に、ＯＫ／方向ボタン４１の上下左右方向を示す矢印は、再生時には別の操作内容を実行させることができる。すなわち、再生時においては、このＯＫ／方向ボタン４１の上矢印側を押すと再生、下矢印側を押すと停止、右矢印側を押すと早送り、左矢印側を押すと早戻し等の各動作が実行される。
【００２１】
又、カメラ本体３１内部の、光学レンズ３２の焦点位置に、被写体光（図示せず）を電気信号に変換する固体撮像素子の代表である電化結合素子（ＣＣＤ）が設けられている。又、図１に示すように、カメラ本体３１の内部には、信号処理部１２、ＪＰＥＧ／ＭＰＥＧ処理部１３、メモリ部１４、ビデオ復調部１５、ＬＣＤ制御部１６、ハードディスク（以下、「ＨＤＤ」と略称）１９、メモリカード２０、ＬＡＮ制御部２１、ＵＳＢ制御部２２、コンピュータの代表であるマイクロコンピュータ（以下、マイコンと称する）２５等が設けられている。
【００２２】
尚、ビデオ復調部１５とＬＣＤ制御部１６とで表示制御部が構成されている。又、符号２６は入力キー部で、この入力キー部２６は、ジョグダイヤル４０を除く複数のボタン３３、３９、４１，４２，４３，４５，４６の総称である。
【００２３】
ＨＤＤ１９は、大容量記録媒体の一例であり、所定に圧縮処理された画像などが記録される。又、メモリカード２０は、ＳＤメモリカードを代表とする比較的記録容量の大きな不揮発性メモリであり、図示しいなスロットを介してカメラ本体３１から抜き差し自在にされている。このメモリカード２０もＨＤＤ１９と同様、所定に圧縮処理された画像などを記録することができる。又、本形態によるＨＤＤ１９やメモリカード２０には、第２の再生画像である動画ファイルがテーマ別に格納されている。この動画ファイルは、再生時の背景画像となるもので、以下、これを背景画像と称する。
【００２４】
次に、各処理部の機能について簡単に説明する。ＣＣＤで撮影された画像（動画或いは静止画）は、Ａ／Ｄ（アナログ／デジタル）変換された後、ＣＣＤ出力デジタル信号として、信号処理部１２に入力される。
【００２５】
信号処理部１２は、入力されたＣＣＤ出力デジタル信号に対して所定の色差補正、輪郭補正、及びγ補正等のデジタル信号処理を施す。
【００２６】
ＪＰＥＧ／ＭＰＥＧ処理部１３は、信号処理部１２で信号処理されたＣＣＤ出力デジタル信号を、静止画の場合はＪＰＥＧ方式を用い、動画の場合はＭＰＥＧ方式を用いて圧縮処理し、データを一時記憶するメモリ部１４を介して、ＨＤＤ１９或いはメモリカード２０に記録する。或いは、ＨＤＤ１９又はメモリカード２０に記録されている圧縮処理済みの画像データをＪＰＥＧ方式やＭＰＥＧ方式を用いて伸張処理する。又、ビデオ復調部１５は、ＪＰＥＧ／ＭＰＥＧ処理部１３で伸張処理された画像データを復調する。
【００２７】
ＬＣＤ制御部１６は、ビデオ復調部１５で復調された画像データをＬＣＤモニタ１７へ出力し、このＬＣＤモニタ１７に当該画像を表示させる。又、後述するように、自動連続再生の一態様であるスライドショーを用いて、第１の再生画像である画像データを再生するに際し、当該画像データと、その背景に表示される背景画像データとの合成画像を生成して出力する。
【００２８】
ＬＡＮ制御部２１（及びＵＳＢ制御部２２）は、ＨＤＤ１９やメモリカード２０に記録されている画像データを、ＬＡＮ伝送（ＵＳＢ伝送）により、パーソナルコンピュータ等の外部機器に、ＬＡＮ端子２３（ＵＳＢ端子３４）を介して転送し、或いは、外部機器に記録されている動画ファイルや静止画ファイル等のデータを、ＬＡＮ端子２３（ＵＳＢ端子３４）を介してＨＤＤ１９やメモリカード２０に転送する。
【００２９】
マイコン２５は、周知のＣＰＵ、ＲＡＭ、ＲＯＭ等を主体に構成されており、各処理部１２〜１５，１９，２１，２２とバス３０を介して接続され、予め記憶されている制御プログラムに従い各処理部１２〜１５，１９，２１，２２に制御信号を出力し、これらの動作を制御する機能を有する。
【００３０】
このような構成による画像再生装置を用いて被写体を撮影するに際しては、先ず、図２（ｂ）に示すように、モニタ部３７を立ち上げ、ＬＣＤモニタ１７がユーザから視認できるような位置に回動させると共に、光学レンズ３２を被写体の方向へ指向させる。モニタ部３７が立ち上げられると電源ボタン４６が自動的にＯＮされ、カメラ本体３１の各処理部１２〜２２、２５等が起動する。
【００３１】
そして、動画を撮影する場合は、カメラ本体３１のモードレバー４３を撮影モード側にスライドさせて撮影モードにセットする。又、静止画を撮影する場合は、モードレバー４３を撮影モード側にスライドさせて撮影モードにセットする。
【００３２】
すると、ＣＣＤで撮影された被写体は、Ａ／Ｄ変換された後、ＣＣＤ出力デジタル信号として、信号処理部１２に入力されて所定に信号処理される。その後、メモリ部１４を介してビデオ復調部１５へ出力されて復調処理され、この復調された被写体像がＬＣＤモニタ１７上に表示される。
【００３３】
そして、動画を撮影するに際しては、ＬＣＤモニタ１７に表示されている被写体像を見ながら動画録画ボタン３９をプッシュすると動画撮影が開始される。尚、この動画録画ボタン３９を再度プッシュすると動画撮影が終了する。一方、静止画を撮影するに際しては、モニタ部３７に表示される被写体の構図を決めてから、シャッタボタン３３を押す。
【００３４】
すると、信号処理部１２で所定に信号処理されたＣＣＤ出力デジタル信号は、ＪＰＥＧ／ＭＰＥＧ処理部１３において、動画の場合はＭＰＥＧ方式を用いて圧縮処理し、静止画の場合はＪＰＥＧ方式を用いて圧縮処理し、圧縮処理した画像データをメモリ部１４を介して、ＨＤＤ１９或いはメモリカード２０に記録する。
【００３５】
又、ＨＤＤ１９或いはメモリカード２０に記録されている画像データ（動画或いは静止画）を再生して、ＬＣＤモニタ１７に表示する場合は、モードレバー４３を動画再生モード、或いは静止画再生モード側にスライドさせる。
【００３６】
すると、ＨＤＤ１９或いはメモリカード２０から読み出された画像データ（動画或いは静止画）が、ＪＰＥＧ／ＭＰＥＧ処理部１３において、画像データが静止画の場合はＪＰＥＧ方式を用い、画像データが動画の場合はＭＰＥＧ方式を用いて伸張処理し、所定に伸張処理した画像をメモリ部１４を介してビデオ復調部１５へ出力して復調処理し、この復調された画像をＬＣＤモニタ１７上に表示させる。
【００３７】
又、ＨＤＤ１９或いはメモりカード２０に記録されている画像データを、パーソナルコンピュータ等の外部機器に転送する場合、或いは外部機器に記録されている画像データをカメラ装置側で受信する場合は、カメラ装置と外部機器とをＵＳＢ端子３４を介して接続し、ＵＳＢ制御部２２を介して送受信を行う。又、ＤＶＤレコーダのような画像記録再生装置に、ＨＤＤ１９或いはメモりカード２０に記録されている画像データを転送する場合は、ＬＡＮ端子２３を介してカメラ本体３１と画像記録再生装置とを接続し、ネットワーク経由で送受信する。その結果、ＪＰＥＧ方式やＭＰＥＧ方式で圧縮した画像データが、そのままストリーミングとしてネットワーク経由で画像記録再生装置に転送されることになる。
【００３８】
一般に、ＨＤＤ１９或いはメモりカード２０に記録されている画像を画像記録再生装置に記録させる場合、圧縮されている画像データを一度復調し、ビデオ端子やＳ端子を介してアナログ出力し、画像記録再生装置側で再圧縮して記録する。しかし、この方法では、画像データの再生時間と同じ時間をかけて記録する必要がある。これに対し、画像データをネットワーク経由で転送すれば、画像記録再生装置側での実記録時間が、再生時間の数十分の１で済む。又、画像データをネットワーク経由で転送するに際しては、当該画像データを再符号化する必要がないため劣化することはない。
【００３９】
ところで、ＨＤＤ１９のような大容量記録媒体では、多くの画像を記録することができるため、ジョグダイヤル４０を操作することで早送りが、早戻しを行うことができる。ジョグダイヤル４０を操作すると、その回転角と回転スピードの情報がマイコン２５に出力される。マイコン２５では、ジョグダイヤル４０からの情報に基づき画像の送り速度、戻速度などの表示スピードを制御する。
【００４０】
又、再生モードを選択している状態で、メニューボタン４２をＯＮすると、ＬＣＤモニタ１７に再生メニューが表示される。図３に示すように、再生メニューには、コマ表示、インデックス、スライドショーなどの選択項目が表示される。コマ表示は、ＨＤＤ１９或いはメモリカード２０に記録されている、第１の再生画像としての画像（静止画と動画との双方を含む）ファイルを１コマずつ表示するもので、ジョグダイヤル４０を回転させることで、順次コマ送りすることができる。インデックスは、ファイル番号の連続するサムネイル画像を所定個数ずつＬＣＤモニタ１７に表示するものである。
【００４１】
又、スライドショーは、静止画ファイルを、所定のインターバルで順次再生するものである。尚、一般に、スライドショーは、スライド（静止画ファイル）が連続的に表示されるものを指すが、本形態では、静止画ファイルのスライド表示に混在して動画ファイルが表示される場合や、静止画ファイルに基づいて作成された動画ファイルを含む複数の動画ファイルが連続して再生する場合も、スライドショーと称する。この場合、本形態では、便宜的に、静止画ファイルと動画ファイルとの双方を指す場合は、画像ファイルと表現する。
【００４２】
操作者がメニュー項目からスライドショーを選択する場合は、ジョグダイヤル４０を回転させて、スライドショーを選び、ＯＫ／方向ボタン４１を押す。この再生メニューは階層構造を有しており、順次表示されるメニューから所望の項目を選択する場合は、ジョグダイヤル４０を回転させる。そして、その後、ＯＫ／方向ボタン４１を押すことで、選択した項目が実行される。従って、以下においては、項目を選択する際のジョグダイヤル４０の回転操作、及び項目を実行させる際のＯＫ／方向ボタン４１を押す操作の説明は省略し、単に「選択」と記載した場合は、ジョグダイヤル４０等を操作してメニュー項目を所定に選択実行させることを意味するものとする。
【００４３】
操作者がスライドショーを選択すると、次の画面において、表示する画像の種類を選択するメニューが表示される。このメニューは、ＨＤＤ１９やメモリカード２０に静止画ファイルと動画ファイルとが混在して記録されている場合の再生画像を選択するもので、メニュー項目としては、「静止画のみ」、「動画のみ」、「静止画と動画」がある。「静止画と動画」を選択した場合、スライドショーは、静止画ファイルと動画ファイルとを順に表示する。又、「静止画のみ」或いは「動画のみ」を選択した場合は、当然、静止画ファイルのみ、或いは動画ファイルのみを、所定のインターバルで順に表示する。
【００４４】
図４に示すように、ＨＤＤ１９やメモリカード２０に、例えばI〜VIIIの画像ファイルが記録されており、その中で例えばファイルI〜V，VIIIが静止画ファイル、ファイルVI,VIIが動画ファイルとした場合、静止画のみを選択した場合は、ファイルI〜V，VIIIが所定のインターバルで順に再生される。又、動画のみを選択した場合、先ず、ファイルVIが再生され、このファイルVIの再生が終了した後、次のファイルVIIが再生される。更に、静止画と動画との双方を選択した場合は、ファイル I〜VIIIが順に再生される。
【００４５】
そして、再生メニューからスライドショーを選択すると共に、表示させる再生画像を選択すると、次の画面に、再生パターンを選択するメニューが表示される。この再生パターンは、「スライドショーのみ」と「背景付き」とが設定されている。
【００４６】
「スライドショーのみ」を選択すると、従来どおり、画像ファイルが順次再生される。一方、「背景付き」を選択した場合は、次の画面において、テーマ選択メニューが表示される。テーマ選択メニューは、再生時の背景画像となる動画ファイル（以下「背景画像ファイル」と称する）を選択するもので、図５に示すように、ＨＤＤ１９やメモリカード２０には、テーマａ，ｂ，ｃ…毎の背景画像ファイルが格納されている。この場合、テーマａの背景画像ファイルは山の風景、テーマｂの背景画像ファイルは海中の景色、テーマｃの背景画像ファイルは街の風景などである。この各背景画像ファイルは、メーカから提供されるもの以外に、撮影者が自ら撮影した動画ファイルを背景画像ファイルとして登録することも可能である。
【００４７】
そして、テーマを選択して背景画像ファイルを特定すると、ＬＣＤモニタ１７には、修飾画像を選択するメニューが表示される。修飾画像は、背景画像の周囲をマスクし、この背景画像の表示領域を予め設定されている枠形状内に制限して修飾するものであり、ＨＤＤ１９やメモリカード２０には、複数の修飾画像１，２，３…が格納されている。図６に修飾画像を例示する。同図において、修飾画像１は背景画像の表示領域の四隅を丸めて表示させるもの、修飾画像２は背景画像をハート型に表示させるもの、修飾画像３は背景画像をキャラクタの形に表示させるものである。この場合、ハート型などでは、その周囲に花模様などを同時にテンプレート表示させるようにしても良い。尚、修飾画像を選択しなかった場合、ＬＣＤモニタ１７全体に背景画像が表示される。
【００４８】
そして、修飾画像を所定に選択し、或いは選択しないで次の画面を表示させると、表示モード選択メニューが表示される。表示モードは、本形態では縮小表示、透過表示が設定されており、この何れか一方、或いは双方を選択することができる。尚、何れも選択しなかった場合、当然、この表示モードは実行されない。
【００４９】
縮小表示は、スライドショーの画像サイズを、ＬＣＤモニタ１７の表示サイズよりも所定サイズに縮小した状態で表示せる、或いは画素数の少ない画像をそのまま表示させるもので、表示位置を、中央、右下、左下、右上、左上の何れかに設定することができる。スライドショーを縮小表示することで、スライドショーの周囲に背景画像の表示領域が設定される。
【００５０】
従って、縮小表示を選択すると、スライドショー実行中は、その周囲に背景画像（動画）が表示されることになり、この背景画像によりスライドショーにより表示される画像を引き立たせることができる。例えば、運動会を撮影した画像をスライドショーで縮小表示するに際し、その背景画像として、運動会の風景を表示すれば、臨場感ある再生を行うことができる。同様に、例えばトレッキングの際に撮影した画像ファイルをスライドショーで表示させる場合、その背景画像として、山或いは山脈の風景を表示させることで、臨場感ある再生を行うことができる。尚、ここで、縮小表示を選択しなかった場合、スライドショーの表示領域はＬＣＤモニタ１７全体に設定される。
【００５１】
透過表示は、再生画像を半透明化処理した半透明画像として、背景画像を透過表示させるもので、半透明化させるタイミングを、「常時」、「フェードイン・フェードアウトのみ」の２つから選択することができる。
【００５２】
透過表示を「常時」に設定すると、再生画像が常時半透明化され、この再生画像から背景画像が透過されて表示される。又、「フェードイン・フェードアウトのみ」を選択すると、スライドショーで画像がフェードイン或いはフェードアウトするに際し、再生画像から背景画像が透過されて表示される。その結果、撮影後に何ら編集することなく、画像の切り替わり時の演出を効果的に行うことができる。
【００５３】
そして、スライドショーを実行するに際し、背景付きが選択されると、背景画像と再生画像とで合成画像を生成し、この合成画像をＬＣＤモニタ１７に出力して表示させる。
【００５４】
この合成画像は、ビデオ復調部１５、及びＬＣＤ制御部１６で生成されるもので、各処理部１５，１６では、図７に示すフローチャートに従って合成画像を生成し、出力する。
【００５５】
このフローチャートでは、先ず、ステップＳ１０１で、選択したテーマ（ａ，ｂ，ｃ…）に対応する背景画像ファイルを見込み、ステップＳ１０２で、当該背景画像ファイルを構成する背景画像データを復調する。
【００５６】
そして、ステップＳ１０３へ進み、当該背景画像データの表示設定を行う。表示設定は、背景画像の修飾が選択されている場合は、選択した修飾画像を読込み、当該修飾画像で背景画像をマスクし、所定の枠形状内に表示領域を設定する。そして、表示設定された背景画像データを１フレーム分ずつ出力する。
【００５７】
一方、これと並行して、ステップＳ１０４で、スライドショーで再生する画像ファイル（再生画像ファイル）が読込まれ、ステップＳ１０５で、当該再生画像ファイルを構成する再生画像データを復調する。
【００５８】
そして、ステップＳ１０６へ進み、当該再生画像データの表示設定を行う。表示設定は、表示モードが設定されている場合は、再生画像データを縮小表示処理すると共に、指定された表示位置に設定する。又、透過表示が設定されている場合は設定されている状態（「通常」或いは「フェードイン・フェードアウトのみ」）に応じて、再生画像データの半透明化処理を行う。そして、表示設定された再生画像データを１フレーム分ずつ出力する。
【００５９】
その後、ステップＳ１０７で、１フレーム分の背景画像データ及び再生画像データとを合成して、１フレーム分の合成画像を生成する。
【００６０】
ここで、１フレーム分の背景画像データと再生画像データとの合成方法について説明する。図８には、スライドショーにより表示される再生画像の縮小表示領域を、ＬＣＤモニタ１７の右下に設定する態様が示されている。この場合、同図（ｂ）に示す背景画像２００（図においては、テーマａの画像ファイルに格納されている背景画像を代表として示す）と、同図（ａ）に示す再生画像３００（図においては、画像ファイルIの画像を代表として示す）が合成されて、同図（ｃ）に示すような、背景画像２００の右下に再生画像３００が取り込まれた合成画像が生成される。
【００６１】
又、図９には、スライドショーにより表示される再生画像から背景画像を透過させて表示する態様が示されている。この場合、同図（ｂ）に示す背景画像２００と、同図（ａ）に示す再生画像３００を合成すると、この再生画像３００が半透明化処理されているため、同図（ｃ）に示すように、再生画像３００を透過して背景画像２００が表示された合成画像が生成される。例えば、再生画像３００の半透明化処理が、「通常」に設定されている場合、再生画像３００の透過率を低くし、再生画像３００のテーマに関連する背景画像（動画）２００を再生画像３００から薄く透過させて表示させるようにしておくことで、再生画像３００を圧迫感なく表示させることができる。
【００６２】
又、この再生画像３００の半透明化処理が、「フェードイン・フェードアウトのみ」に設定されている場合、スライドショーで再生画像３００がフェードイン及びフェードアウトする都度に、背景画像２００が透過されて表示されるので、撮影後に何ら編集することなく、画像の切り替わり時の演出を効果的に行うことができる。
【００６３】
又、図１０には、スライドショーにより表示される再生画像を、ＬＣＤモニタ１７の中央に縮小表示させると共に、この再生画像から背景画像を透過させる態様が示されている。この場合、同図（ｂ）に示す背景画像２００と、同図（ａ）に示す再生画像３００を合成すると、この再生画像３００が縮小され、且つ半透明化処理されているため、同図（ｃ）に示すように、再生画像３００の周囲に背景画像２００が表示されると共に、再生画像３００を透過して背景画像２００が表示された合成画像が生成される。従って、例えば背景画像（動画）を運動会の風景を撮影した画像とし、スライドショーにより表示する再生画像を運動会を撮影した画像とすれば、臨場感のある再生を行うことができる。
【００６４】
又、図１１には、スライドショーにより表示される再生画像を、ＬＣＤモニタ１７の中央に縮小表示させると共に、この再生画像から背景画像を透過させ、更に、背景画像を修飾画像４００（図においては、修飾画像２を代表として示す）でマスクして、所定枠形状（図においてはハート型）に修飾した態様が示されている。
【００６５】
この場合、図１１（ｂ）に示す背景画像２００と、同図（ｃ）に示す修飾画像４００と、同図（ａ）に示す再生画像３００を合成すると、同図（ｄ）に示すように、背景画像２００が修飾画像４００でマスクされて、所定枠形状（図においてはハート型）に修飾され、その中央に再生画像３００が縮小されて表示され、且つ半透明化処理されて表示された合成画像が生成される。
【００６６】
例えば結婚式を撮影した画像をスライドショーを用いて表示する場合、その背景画像を結婚式場の風景を撮影した画像とし、これをハート型に修飾し、更に、その周囲にテンプレートを用いて花模様等を表示させれば、撮影後に何ら編集することなく、結婚式の画像を効果的な演出で再生させることができる。
【００６７】
同様に、例えばテーマパークで撮影した画像をスライドショーを用いて表示する場合、その背景画像をテーマパーク内の撮影した画像とし、これをキャラクタの形（例えば修飾画像３）に修飾して表示させれば、撮影後に何ら編集することなく、テーマパークで撮影した画像を効果的な演出で再生させることができる。
【００６８】
そして、このように生成された合成画像は、ステップＳ１０８でＬＣＤモニタ１７へ出力されて表示される。
【００６９】
このように、本形態では、撮影した画像をスライドショーを用いて表示させるに際し、再生画像と背景画像との様々な態様による組み合わせの合成画像を表示できるようにしたので、スライドショーにて再生画像を表示させる際の選択肢が増え、付加価値が高くなり、その結果、商品価値をより高めることができる。
【００７０】
尚、本発明は、上述した形態に限るものではなく、適用する機器はカメラ装置に限定されず、デジタルデータで記録されている画像を再生する画像再生装置を備える機器であれば、パーソナルコンピュータやビデオプレーヤなど、広範囲に適用することができる。又、記録媒体もＨＤＤ１９やメモリカード２０に限らず、ＤＶＤ、ＣＤなどの光学式記録媒体であっても良い。
【図面の簡単な説明】
【００７１】
【図１】カメラ装置の概略構成を示すブロック図
【図２】カメラ装置の外観構成を示し、（ａ）は正面斜視図、（ｂ）は背面斜視図
【図３】階層構造を成す再生メニューの説明図
【図４】再生画像ファイルの説明図
【図５】背景画像ファイルの説明図
【図６】修飾画像の説明図
【図７】再生画像と背景画像との合成画像を生成する手順を示すフローチャート
【図８】再生画像を縮小表示した合成画像の説明図
【図９】再生画像から背景画像を透過させた合成画像の説明図
【図１０】再生画像を縮小表示すると共に背景画像を透過させた合成画像の説明図
【図１１】再生画像を縮小表示すると共に背景画像を修飾した状態の合成画像の説明図
【符号の説明】
【００７２】
１，２，３…修飾画像
１２…信号処理部
１３…ＪＰＥＧ／ＭＰＥＧ処理部
１４…メモリ部
１５…ビデオ復調部
１６…ＬＣＤ制御部
１７…ＬＣＤモニタ
２０…メモリカード
２５…マイコン
３１…カメラ本体
３７…モニタ部
４２…メニューボタン
２００…背景画像
３００…再生画像
４００…修飾画像
ａ，ｂ，ｃ…背景画像ファイル
I〜VIII…画像ファイル
【図１】
2006303816.tif 000003
【図２】
2006303816.tif 000004
【図３】
2006303816.tif 000005
【図４】
2006303816.tif 000006
【図５】
2006303816.tif 000007
【図６】
2006303816.tif 000008
【図７】
2006303816.tif 000009
【図８】
2006303816.tif 000010
【図９】
2006303816.tif 000011
【図１０】
2006303816.tif 000012
【図１１】
2006303816.tif 000013